(57)【要約】【課題】  ユーザの設定を忠実に実現したカラープロファイルと、ユーザの設定を参考にしつつカラーマッチング精度を重視したカラープロファイルとを、ユーザがそのときの目的に合わせて選択することが可能な印刷装置を提供する。【解決手段】  複数色で構成される画像を印刷する印刷装置において、ユーザからの入力情報に応じて任意の色の増加または減少の変化率を制御する（Ｓ１０４）。設定された変化率に基づいてカラープロファイルを作成するか、または該変化率及びカラーマッチング精度に基づいてカラープロファイルを作成するかをユーザに設定させる（Ｓ１０５）。設定された条件でカラープロファイルを作成する（Ｓ１０６）。作成された複数種類のカラープロファイルからカラーマッチングを行う際のカラープロファイルをユーザに選択させる。選択されたカラープロファイルを用いてカラーマッチングを行う。【選択図】  図４
2006020087.tif 000002
【特許請求の範囲】
【請求項１】
複数色で構成される画像を印刷する印刷装置において、
ユーザからの入力情報に応じて任意の色の増加または減少の変化率を制御するデータ変化率制御手段と、
前記データ変化率制御手段により設定された変化率に基づいてカラープロファイルを作成するか、または該変化率及びカラーマッチング精度に基づいてカラープロファイルを作成するかを前記ユーザに設定させるカラープロファイル作成条件設定手段と、
前記カラープロファイル作成条件設定手段により設定された条件でカラープロファイルを作成するカラープロファイル作成手段と
を備えることを特徴とする印刷装置。
【請求項２】
前記カラープロファイル作成手段により作成された複数種類のカラープロファイルからカラーマッチングを行う際のカラープロファイルを前記ユーザに選択させるカラープロファイル選択手段と、
前記カラープロファイル選択手段により選択されたカラープロファイルを用いてカラーマッチングを行うカラーマッチング手段と
を更に備えることを特徴とする請求項１に記載の印刷装置。
【請求項３】
少なくともシアン（C）、マゼンタ（M）、イエロー（Y）、ブラック（K）の4色で構成される画像を印刷する印刷装置において、
ユーザからの入力情報に応じて、Kインクの入れ込みポイントの設定、及びKインクの増加、減少を含む変化率を制御するKインク制御手段と、
前記Kインク制御手段により制御された変化率に応じて残りの色の調整を行うカラーデータ調整手段と、
前記Kインク制御手段及びカラーデータ調整手段により設定された入れ込みポイント及び変化率に基づいてカラープロファイルを作成するか、または該入れ込みポイント、変化率及びカラーマッチング精度に基づいてカラープロファイルを作成するかを前記ユーザに設定させるカラープロファイル作成条件設定手段と、
前記カラープロファイル作成条件設定手段により設定された条件でカラープロファイルを作成するカラープロファイル作成手段と
を備えることを特徴とする印刷装置。
【請求項４】
前記カラープロファイル作成手段により作成された２種類の特性の異なるカラープロファイルを含む複数のカラープロファイルからカラーマッチングを行う際のカラープロファイルを前記ユーザに選択させるカラープロファイル選択手段と、
前記カラープロファイル選択手段により選択されたカラープロファイルを用いてカラーマッチングを行うカラーマッチング手段と
を更に備えることを特徴とする請求項３に記載の印刷装置。
【請求項５】
複数色で構成される画像を印刷する印刷装置において、
ユーザからの入力情報に応じて、任意の色の増加または減少の変化率を制御するデータ変化率制御手段と、
前記データ変化率制御手段により設定された変化率に基づいてカラープロファイルを作成する際に、カラーマッチング精度を適用する度合いを前記ユーザに設定させるカラープロファイル作成条件設定手段と、
前記カラープロファイル作成条件設定手段により設定された作成条件でカラープロファイルを作成するカラープロファイル作成手段と
を備えることを特徴とする印刷装置。
【請求項６】
前記カラープロファイル作成手段により作成された複数種類のカラープロファイルからカラーマッチングを行う際のカラープロファイルを前記ユーザに選択させるカラープロファイル選択手段と、
前記カラープロファイル選択手段により選択されたカラープロファイルを用いてカラーマッチングを行うカラーマッチング手段と
を更に備えることを特徴とする請求項５に記載の印刷装置。
【請求項７】
少なくともシアン（C）、マゼンタ（M）、イエロー（Y）、ブラック（K）の4色で構成される画像を印刷する印刷装置において、
ユーザからの入力情報に応じて、Kインクの入れ込みポイントの設定、及びKインクデータの増加、減少を含む変化率を制御するKインク制御手段と、
前記Kインク制御手段により設定された入れ込みポイント及び変化率に応じて残りの色の調整を行うカラーデータ調整手段と、
前記Kインク制御手段及びカラーデータ調整手段により設定されたパラメータに基づいてカラープロファイルを作成する際に、カラーマッチング精度を適用する度合いを前記ユーザに選択させるカラープロファイル作成条件設定手段と、
前記カラープロファイル作成条件設定手段により選択された条件でカラープロファイルを作成するカラープロファイル作成手段と
を備えることを特徴とする印刷装置。
【請求項８】
前記カラープロファイル作成手段により作成された複数の特性の異なるカラープロファイルからカラーマッチングを行う際のカラープロファイルを前記ユーザに選択させるカラープロファイル選択手段と、
前記カラープロファイル選択手段により選択されたカラープロファイルを用いてカラーマッチングを行うカラーマッチング手段と
を更に備えることを特徴とする請求項７に記載の印刷装置。
【請求項９】
複数色で構成される画像を印刷する印刷装置のカラープロファイル作成方法において、
ユーザからの入力情報に応じて任意の色の増加または減少の変化率を制御するステップと、
前記制御するステップにおいて設定された変化率に基づいてカラープロファイルを作成するか、または該変化率及びカラーマッチング精度に基づいてカラープロファイルを作成するかを前記ユーザに設定させるステップと、
前記設定させるステップにおいて設定された条件でカラープロファイルを作成するステップと
を備えることを特徴とするカラープロファイル作成方法。
【請求項１０】
複数色で構成される画像を印刷する印刷装置のカラーマッチング方法において、
ユーザからの入力情報に応じて任意の色の増加または減少の変化率を制御するステップと、
前記制御するステップにおいて設定された変化率に基づいてカラープロファイルを作成するか、または該変化率及びカラーマッチング精度に基づいてカラープロファイルを作成するかを前記ユーザに設定させるステップと、
前記設定させるステップにおいて設定された条件でカラープロファイルを作成するステップと、
前記作成するステップにおいて作成された複数種類のカラープロファイルからカラーマッチングを行う際のカラープロファイルを前記ユーザに選択させるステップと、
前記選択させるステップにおいて選択されたカラープロファイルを用いてカラーマッチングを行うステップと
を備えることを特徴とするカラーマッチング方法。
【請求項１１】
少なくともシアン（C）、マゼンタ（M）、イエロー（Y）、ブラック（K）の4色で構成される画像を印刷する印刷装置のカラープロファイル作成方法において、
ユーザからの入力情報に応じて、Kインクの入れ込みポイントの設定、及びKインクの増加、減少を含む変化率を制御するステップと、
前記制御するステップにおいて制御された変化率に応じて残りの色の調整を行うステップと、
前記調整を行うステップにおいて設定された入れ込みポイント及び変化率に基づいてカラープロファイルを作成するか、または該入れ込みポイント、変化率及びカラーマッチング精度に基づいてカラープロファイルを作成するかを前記ユーザに設定させるステップと、
前記設定させるステップにおいて設定された条件でカラープロファイルを作成するステップと
を備えることを特徴とするカラープロファイル作成方法。
【請求項１２】
少なくともシアン（C）、マゼンタ（M）、イエロー（Y）、ブラック（K）の4色で構成される画像を印刷する印刷装置のカラーマッチング方法において、
ユーザからの入力情報に応じて、Kインクの入れ込みポイントの設定、及びKインクの増加、減少を含む変化率を制御するステップと、
前記制御するステップにおいて制御された変化率に応じて残りの色の調整を行うステップと、
前記調整を行うステップにおいて設定された入れ込みポイント及び変化率に基づいてカラープロファイルを作成するか、または該入れ込みポイント、変化率及びカラーマッチング精度に基づいてカラープロファイルを作成するかを前記ユーザに設定させるステップと、
前記設定させるステップにおいて設定された条件でカラープロファイルを作成するステップと
前記作成するステップにおいて作成された２種類の特性の異なるカラープロファイルを含む複数のカラープロファイルからカラーマッチングを行う際のカラープロファイルを前記ユーザに選択させるステップと、
前記選択するステップにおいて選択されたカラープロファイルを用いてカラーマッチングを行うステップと
を備えることを特徴とするカラーマッチング方法。
【請求項１３】
複数色で構成される画像を印刷する印刷装置のカラープロファイル作成方法において、
ユーザからの入力情報に応じて、任意の色の増加または減少の変化率を制御するステップと、
前記制御するステップにおいて設定された変化率に基づいてカラープロファイルを作成する際に、カラーマッチング精度を適用する度合いを前記ユーザに設定させるステップと、
前記設定させるステップにおいて設定された作成条件でカラープロファイルを作成するステップと
を備えることを特徴とするカラープロファイル作成方法。
【請求項１４】
複数色で構成される画像を印刷する印刷装置のカラーマッチング方法において、
ユーザからの入力情報に応じて、任意の色の増加または減少の変化率を制御するステップと、
前記制御するステップにおいて設定された変化率に基づいてカラープロファイルを作成する際に、カラーマッチング精度を適用する度合いを前記ユーザに設定させるステップと、
前記設定させるステップにおいて設定された作成条件でカラープロファイルを作成するステップと
前記作成するステップにおいて作成された複数種類のカラープロファイルからカラーマッチングを行う際のカラープロファイルを前記ユーザに選択させるステップと、
前記選択させるステップにおいて選択されたカラープロファイルを用いてカラーマッチングを行うステップと
を備えることを特徴とするカラーマッチング方法。
【請求項１５】
少なくともシアン（C）、マゼンタ（M）、イエロー（Y）、ブラック（K）の4色で構成される画像を印刷する印刷装置のカラープロファイル作成方法において、
ユーザからの入力情報に応じて、Kインクの入れ込みポイントの設定、及びKインクデータの増加、減少を含む変化率を制御するステップと、
前記制御するステップにおいて設定された入れ込みポイント及び変化率に応じて残りの色の調整を行うステップと、
前記調整を行うステップにおいて設定されたパラメータに基づいてカラープロファイルを作成する際に、カラーマッチング精度を適用する度合いを前記ユーザに選択させるステップと、
前記選択させるステップにおいて選択された条件でカラープロファイルを作成するステップと
を備えることを特徴とするカラープロファイル作成方法。
【請求項１６】
少なくともシアン（C）、マゼンタ（M）、イエロー（Y）、ブラック（K）の4色で構成される画像を印刷する印刷装置のカラーマッチング方法において、
ユーザからの入力情報に応じて、Kインクの入れ込みポイントの設定、及びKインクデータの増加、減少を含む変化率を制御するステップと、
前記制御するステップにおいて設定された入れ込みポイント及び変化率に応じて残りの色の調整を行うステップと、
前記調整を行うステップにおいて設定されたパラメータに基づいてカラープロファイルを作成する際に、カラーマッチング精度を適用する度合いを前記ユーザに選択させるステップと、
前記選択させるステップにおいて選択された条件でカラープロファイルを作成するステップと
前記作成するステップにおいて作成された複数の特性の異なるカラープロファイルからカラーマッチングを行う際のカラープロファイルを前記ユーザに選択させるステップと、
前記選択させるステップにおいて選択されたカラープロファイルを用いてカラーマッチングを行うステップと
を備えることを特徴とするカラーマッチング方法。
【請求項１７】
カラープロファイル作成方法において、
少なくても墨入れ量を含むプロファイル作成のための設定を行うステップと、
前記設定に忠実にカラープロファイルを作成するか、前記設定を参照した上でカラーマッチング精度を優先したカラープロファイルを作成するか設定させるステップと、
前記設定させるステップにおいて設定された条件でカラープロファイルを作成するステップと
を備えることを特徴とするカラープロファイル作成方法。
【請求項１８】
前記プロファイル作成のための設定とは、２次色ののり量もしくは４次色ののり量を含むことを特徴とする請求項１７項記載のカラープロファイル作成方法。
【発明の詳細な説明】
【技術分野】
【０００１】
本発明は、印刷装置、そのカラープロファイル作成方法及びカラーマッチング方法に関し、特にICC（International  Color  Consortium）プロファイル等のカラープロファイルを使用してカラーマッチングを行う場合において、ユーザの希望に添ったカラーマッチング結果を実現する印刷装置、そのカラープロファイル作成方法及びカラーマッチング方法に関する。
【背景技術】
【０００２】
各種デバイスにおけるカラーマネージメントにおいて重要な役割を果たすアイテムの一つとして、カラープロファイルがある。カラープロファイルはそのデバイスの色特性が記述されており、デバイスの出力色を所望の色にするためのカラーマッチング処理等に使用される。一般にカラープロファイルの規格としては、ICCで規格化されているプロファイルがよく知られており、カラーマッチング処理等において標準的に使用されている。
【０００３】
出力デバイスとしてプリンタや印刷機を例に挙げ、デバイスカラーとしてC（シアン）、M（マゼンタ）、Y（イエロー）、K（ブラック）の4色で構成されている場合について説明する。通常、デバイスICCプロファイルを作成する場合、Kは墨版と称して、他の色、すなわちC、M、Yとは別の扱いとすることが多い。この場合、C、M、Yで構成された色をKでどのように置き換えるかを決める必要がある。Kに置き換える手法として、GCR(Gray  Component  Replacement)やUCR(Under  Color  Removal)がよく知られている手法である。
【０００４】
また、その他の手法として、ユーザが自らKインクの入れ込み方を指定するカスタム設定がある。これは、ユーザがBGC(Black  Generation  Curve)を設定することにより、任意のKインクの入れ込みを制御できる機能である。このユーザ設定の墨の入れ込み曲線は、ユーザが直接曲線の任意のポイントを所望のポイントに移動したり、ある特定の算術演算のパラメータをユーザが設定したりすることで実現される。いずれの場合においても、曲線の設定はユーザが自由に設定可能である。
【０００５】
カラープロファイルは上記のような墨入れを含む各種のユーザの設定に従って作成される。ユーザは、作成されたカラープロファイルを用いてカラーマッチングを行い、所望する色の出力結果を得ることが可能になる。
【０００６】
【特許文献１】特開２００２−０３３９３０号公報
【発明の開示】
【発明が解決しようとする課題】
【０００７】
ICCプロファイルを作成する場合、一般にはユーザの設定した墨入れ量やBGCの他、各種パラメータを参照して作成されるが、その値が正確に、作成されたプロファイルに反映されない場合がある。その理由の１つとして、カラーマッチング精度に関する理由が挙げられる。ICCプロファイル等のカラープロファイルの目的の一つとして、意図した色再現を正確に行うことが要求される。カラープロファイルはデバイスカラーである、Ｃ、Ｍ，Ｙ，Ｋを巧みに組み合わせて意図する色再現を実現しようとする。
【０００８】
デバイスカラーとはその名の通りデバイスに固有の色となっている。そのため、一言でＣ、Ｍ，Ｙ，Ｋといっても、普通はその色相や彩度はそれぞれのデバイスごとに大きく異なる。そのようなデバイスカラーを利用してカラープロファイルを作成する際に利用されるのが、前述のユーザによって設定された各種パラメータである。
【０００９】
カラープロファイルを作成する場合、設定されたパラメータに従ってデバイスカラーの組み合わせを決定していくわけだが、ここに１つ問題が発生する。ユーザの設定したパラメータに従ってデバイスカラーの組み合わせを決定し、その結果のカラーマッチング精度が所望のレベルを満たせばよいが、前述したようにデバイスごとに大きく異なるデバイスカラーをユーザの設定したパラメータに従って組み合わせた場合所望のカラーマッチング精度が実現できない場合が発生する。
【００１０】
よくある例として墨入れ処理が施される。ユーザが設定したＢＧＣ（Black Generation Curve）や墨入れパラメータにしたがってＫインクの使用方法を決定すると、それに従ってＣインク、Ｍインク、Ｙインクの量が決定される。しかし、前述したようにはじめにＫインクが決定してしまい、残りのＣインク、Ｍインク、Ｙインクを組み合わせて所望の色再現を行おうとすると、所望のカラーマッチング精度が実現できない場合も発生する。特にＫインクを多く使用する部分では、再現される色はＫインクの色味に大きく左右される。
【００１１】
例えば、Ｋインクが十分に黒くなかったり、赤っぽい、または青っぽいなどする場合、それを他のＣインク、Ｍインク、Ｙインクを加えることにより補わなければならないが、使用できるインクの総量には最大量があるのが一般的なので、無制限に他のインクを加えることはできない。また、いくら他のインクを加えても補正できない場合もある。
【００１２】
こういった場合2通りの解決方法がある。第１はあくまでもカラーマッチング精度にこだわり、ユーザの設定したパラメータを部分的に無視することでカラーマッチング精度の高いカラープロファイルを作成する場合である。例えば、Ｋインクの使用量をユーザ設定より減らすことで、インク使用総量以内で他のインクをより多く使用しカラーマッチング精度を高めるなどである。第２はあくまでもユーザの設定したパラメータを重視し多少カラーマッチング精度が低くなっても、あくまでもユーザの設定に従ったカラープロファイルを作成する場合である（例えば特許文献１参照）。このような場合は、Ｋインクの使用量等はユーザの設定どおりとなるが、その代わりＫインクを多く使用する部分のカラーマッチング精度は期待できない。
【００１３】
しかしながら、このように作成されたカラープロファイルをユーザが使用してカラーマッチングを行うと、結果としてユーザの設定したパラメータが結果に正確に反映されていないか、または設定したパラメータは正確に反映されているがカラーマッチング精度が低いといった問題があった。
【００１４】
また、一般にカラープロファイル作成ソフトウェアが上記した2つの解決方法のうち、いずれの処理を行ってカラープロファイルを作成するかはユーザにはわからない。このため、せっかく時間をかけて作成したカラープロファイルであっても、ユーザの所望する特性を備えているかどうかは、実際にそのカラープロファイルを使用してカラーマッチングを行ってみるまでわからないという問題があった。
【００１５】
本発明はこのような問題に鑑みてなされたものであり、その目的とするところは、ユーザの設定を忠実に実現したカラープロファイルと、ユーザの設定を参考にしつつカラーマッチング精度を重視したカラープロファイルとを、ユーザがそのときの目的に合わせて選択することが可能な印刷装置、そのカラープロファイル作成方法及びカラーマッチング方法を提供することにある。
【課題を解決するための手段】
【００１６】
このような目的を達成するために、本発明に係る印刷装置は、複数色で構成される画像を印刷する印刷装置において、ユーザからの入力情報に応じて任意の色の増加または減少の変化率を制御するデータ変化率制御手段と、前記データ変化率制御手段により設定された変化率に基づいてカラープロファイルを作成するか、または該変化率及びカラーマッチング精度に基づいてカラープロファイルを作成するかを前記ユーザに設定させるカラープロファイル作成条件設定手段と、前記カラープロファイル作成条件設定手段により設定された条件でカラープロファイルを作成するカラープロファイル作成手段とを備えたものである。
【００１７】
ここで、前記カラープロファイル作成手段により作成された複数種類のカラープロファイルからカラーマッチングを行う際のカラープロファイルを前記ユーザに選択させるカラープロファイル選択手段と、前記カラープロファイル選択手段により選択されたカラープロファイルを用いてカラーマッチングを行うカラーマッチング手段とを更に備えてもよい。
【００１８】
本発明の別の態様によれば、本発明に係る印刷装置は、少なくともシアン（C）、マゼンタ（M）、イエロー（Y）、ブラック（K）の4色で構成される画像を印刷する印刷装置において、ユーザからの入力情報に応じて、Kインクの入れ込みポイントの設定、及びKインクの増加、減少を含む変化率を制御するKインク制御手段と、前記Kインク制御手段により制御された変化率に応じて残りの色の調整を行うカラーデータ調整手段と、前記Kインク制御手段及びカラーデータ調整手段により設定された入れ込みポイント及び変化率に基づいてカラープロファイルを作成するか、または該入れ込みポイント、変化率及びカラーマッチング精度に基づいてカラープロファイルを作成するかを前記ユーザに設定させるカラープロファイル作成条件設定手段と、前記カラープロファイル作成条件設定手段により設定された条件でカラープロファイルを作成するカラープロファイル作成手段とを備えたものである。
【００１９】
ここで、前記カラープロファイル作成手段により作成された２種類の特性の異なるカラープロファイルを含む複数のカラープロファイルからカラーマッチングを行う際のカラープロファイルを前記ユーザに選択させるカラープロファイル選択手段と、前記カラープロファイル選択手段により選択されたカラープロファイルを用いてカラーマッチングを行うカラーマッチング手段とを更に備えてもよい。
【００２０】
本発明の別の態様によれば、本発明に係る印刷装置は、複数色で構成される画像を印刷する印刷装置において、ユーザからの入力情報に応じて、任意の色の増加または減少の変化率を制御するデータ変化率制御手段と、前記データ変化率制御手段により設定された変化率に基づいてカラープロファイルを作成する際に、カラーマッチング精度を適用する度合いを前記ユーザに設定させるカラープロファイル作成条件設定手段と、前記カラープロファイル作成条件設定手段により設定された作成条件でカラープロファイルを作成するカラープロファイル作成手段とを備えたものである。
【００２１】
ここで、前記カラープロファイル作成手段により作成された複数種類のカラープロファイルからカラーマッチングを行う際のカラープロファイルを前記ユーザに選択させるカラープロファイル選択手段と、前記カラープロファイル選択手段により選択されたカラープロファイルを用いてカラーマッチングを行うカラーマッチング手段とを更に備えてもよい。
【００２２】
本発明の別の態様によれば、本発明に係る印刷装置は、少なくともシアン（C）、マゼンタ（M）、イエロー（Y）、ブラック（K）の4色で構成される画像を印刷する印刷装置において、ユーザからの入力情報に応じて、Kインクの入れ込みポイントの設定、及びKインクデータの増加、減少を含む変化率を制御するKインク制御手段と、前記Kインク制御手段により設定された入れ込みポイント及び変化率に応じて残りの色の調整を行うカラーデータ調整手段と、前記Kインク制御手段及びカラーデータ調整手段により設定されたパラメータに基づいてカラープロファイルを作成する際に、カラーマッチング精度を適用する度合いを前記ユーザに選択させるカラープロファイル作成条件設定手段と、前記カラープロファイル作成条件設定手段により選択された条件でカラープロファイルを作成するカラープロファイル作成手段とを備えたものである。
【００２３】
ここで、前記カラープロファイル作成手段により作成された複数の特性の異なるカラープロファイルからカラーマッチングを行う際のカラープロファイルを前記ユーザに選択させるカラープロファイル選択手段と、前記カラープロファイル選択手段により選択されたカラープロファイルを用いてカラーマッチングを行うカラーマッチング手段とを更に備えてもよい。
【００２４】
本発明の別の態様によれば、本発明に係る印刷装置のカラープロファイル作成方法は、複数色で構成される画像を印刷する印刷装置のカラープロファイル作成方法において、ユーザからの入力情報に応じて任意の色の増加または減少の変化率を制御するステップと、前記制御するステップにおいて設定された変化率に基づいてカラープロファイルを作成するか、または該変化率及びカラーマッチング精度に基づいてカラープロファイルを作成するかを前記ユーザに設定させるステップと、前記設定させるステップにおいて設定された条件でカラープロファイルを作成するステップとを備えたものである。
【００２５】
本発明の別の態様によれば、本発明に係る印刷装置のカラーマッチング方法は、複数色で構成される画像を印刷する印刷装置のカラーマッチング方法において、ユーザからの入力情報に応じて任意の色の増加または減少の変化率を制御するステップと、前記制御するステップにおいて設定された変化率に基づいてカラープロファイルを作成するか、または該変化率及びカラーマッチング精度に基づいてカラープロファイルを作成するかを前記ユーザに設定させるステップと、前記設定させるステップにおいて設定された条件でカラープロファイルを作成するステップと、前記作成するステップにおいて作成された複数種類のカラープロファイルからカラーマッチングを行う際のカラープロファイルを前記ユーザに選択させるステップと、前記選択させるステップにおいて選択されたカラープロファイルを用いてカラーマッチングを行うステップとを備えたものである。
【００２６】
本発明の別の態様によれば、本発明に係る印刷装置のカラープロファイル作成方法は、少なくともシアン（C）、マゼンタ（M）、イエロー（Y）、ブラック（K）の4色で構成される画像を印刷する印刷装置のカラープロファイル作成方法において、ユーザからの入力情報に応じて、Kインクの入れ込みポイントの設定、及びKインクの増加、減少を含む変化率を制御するステップと、前記制御するステップにおいて制御された変化率に応じて残りの色の調整を行うステップと、前記調整を行うステップにおいて設定された入れ込みポイント及び変化率に基づいてカラープロファイルを作成するか、または該入れ込みポイント、変化率及びカラーマッチング精度に基づいてカラープロファイルを作成するかを前記ユーザに設定させるステップと、前記設定させるステップにおいて設定された条件でカラープロファイルを作成するステップとを備えたものである。
【００２７】
本発明の別の態様によれば、本発明に係る印刷装置のカラーマッチング方法は、少なくともシアン（C）、マゼンタ（M）、イエロー（Y）、ブラック（K）の4色で構成される画像を印刷する印刷装置のカラーマッチング方法において、ユーザからの入力情報に応じて、Kインクの入れ込みポイントの設定、及びKインクの増加、減少を含む変化率を制御するステップと、前記制御するステップにおいて制御された変化率に応じて残りの色の調整を行うステップと、前記調整を行うステップにおいて設定された入れ込みポイント及び変化率に基づいてカラープロファイルを作成するか、または該入れ込みポイント、変化率及びカラーマッチング精度に基づいてカラープロファイルを作成するかを前記ユーザに設定させるステップと、前記設定させるステップにおいて設定された条件でカラープロファイルを作成するステップと前記作成するステップにおいて作成された２種類の特性の異なるカラープロファイルを含む複数のカラープロファイルからカラーマッチングを行う際のカラープロファイルを前記ユーザに選択させるステップと、前記選択するステップにおいて選択されたカラープロファイルを用いてカラーマッチングを行うステップとを備えたものである。
【００２８】
本発明の別の態様によれば、本発明に係る印刷装置のカラープロファイル作成方法は、複数色で構成される画像を印刷する印刷装置のカラープロファイル作成方法において、ユーザからの入力情報に応じて、任意の色の増加または減少の変化率を制御するステップと、前記制御するステップにおいて設定された変化率に基づいてカラープロファイルを作成する際に、カラーマッチング精度を適用する度合いを前記ユーザに設定させるステップと、前記設定させるステップにおいて設定された作成条件でカラープロファイルを作成するステップとを備えたものである。
【００２９】
本発明の別の態様によれば、本発明に係る印刷装置のカラーマッチング方法は、複数色で構成される画像を印刷する印刷装置のカラーマッチング方法において、ユーザからの入力情報に応じて、任意の色の増加または減少の変化率を制御するステップと、前記制御するステップにおいて設定された変化率に基づいてカラープロファイルを作成する際に、カラーマッチング精度を適用する度合いを前記ユーザに設定させるステップと、前記設定させるステップにおいて設定された作成条件でカラープロファイルを作成するステップと前記作成するステップにおいて作成された複数種類のカラープロファイルからカラーマッチングを行う際のカラープロファイルを前記ユーザに選択させるステップと、前記選択させるステップにおいて選択されたカラープロファイルを用いてカラーマッチングを行うステップとを備えたものである。
【００３０】
本発明の別の態様によれば、本発明に係る印刷装置のカラープロファイル作成方法は、少なくともシアン（C）、マゼンタ（M）、イエロー（Y）、ブラック（K）の4色で構成される画像を印刷する印刷装置のカラープロファイル作成方法において、ユーザからの入力情報に応じて、Kインクの入れ込みポイントの設定、及びKインクデータの増加、減少を含む変化率を制御するステップと、前記制御するステップにおいて設定された入れ込みポイント及び変化率に応じて残りの色の調整を行うステップと、前記調整を行うステップにおいて設定されたパラメータに基づいてカラープロファイルを作成する際に、カラーマッチング精度を適用する度合いを前記ユーザに選択させるステップと、前記選択させるステップにおいて選択された条件でカラープロファイルを作成するステップとを備えたものである。
【００３１】
本発明の別の態様によれば、本発明に係る印刷装置のカラーマッチング方法は、少なくともシアン（C）、マゼンタ（M）、イエロー（Y）、ブラック（K）の4色で構成される画像を印刷する印刷装置のカラーマッチング方法において、ユーザからの入力情報に応じて、Kインクの入れ込みポイントの設定、及びKインクデータの増加、減少を含む変化率を制御するステップと、前記制御するステップにおいて設定された入れ込みポイント及び変化率に応じて残りの色の調整を行うステップと、前記調整を行うステップにおいて設定されたパラメータに基づいてカラープロファイルを作成する際に、カラーマッチング精度を適用する度合いを前記ユーザに選択させるステップと、前記選択させるステップにおいて選択された条件でカラープロファイルを作成するステップと前記作成するステップにおいて作成された複数の特性の異なるカラープロファイルからカラーマッチングを行う際のカラープロファイルを前記ユーザに選択させるステップと、前記選択させるステップにおいて選択されたカラープロファイルを用いてカラーマッチングを行うステップとを備えたものである。
【００３２】
本発明の別の態様によれば、本発明に係るカラープロファイル作成方法は、少なくても墨入れ量を含むプロファイル作成のための設定を行うステップと、前記設定に忠実にカラープロファイルを作成するか、前記設定を参照した上でカラーマッチング精度を優先したカラープロファイルを作成するか設定させるステップと、前記設定させるステップにおいて設定された条件でカラープロファイルを作成するステップとを備えたものである。
【００３３】
ここで、前記プロファイル作成のための設定とは、２次色ののり量もしくは４次色ののり量を含んでもよい。
【発明の効果】
【００３４】
本発明によれば、これにより、ユーザがユーザの設定したパラメータに忠実なカラープロファイルとカラーマッチング精度の高いカラープロファイルの両方を状況に応じて作成可能になる。また、カラーマッチング時に選択できることにより、ユーザの目的にかなったカラーマッチングが可能になる効果がある。
【００３５】
また、ユーザの設定した墨入れに関するパラメータに忠実なカラープロファイルとカラーマッチング精度の高いカラープロファイルの両方を状況に応じて作成可能になる。また、カラーマッチング時に選択できることにより、ユーザの目的にかなった墨入れ及びカラーマッチングが可能になり、ユーザの目的に添った出力を得ることが可能になる効果がある。
【００３６】
また、ユーザの設定したパラメータに忠実なカラープロファイルとカラーマッチング精度の高いカラープロファイル間で任意のカラーマッチング精度でカラープロファイルの作成が可能になる。また、カラーマッチング時に選択できることにより、ユーザの目的にかなったカラーマッチングが可能になる効果がある。
【００３７】
また、ユーザの設定した墨入れに関するパラメータに忠実なカラープロファイルとカラーマッチング精度の高いカラープロファイルの両者の間でユーザが求めるカラーマッチング精度となる任意のカラープロファイルの作成が可能になる。また、カラーマッチング時に選択できることにより、ユーザの目的にかなった墨入れ及びカラーマッチングが可能になり、ユーザは目的に添った出力を得ることが可能になる効果がある。
【発明を実施するための最良の形態】
【００３８】
以下、図面を参照しながら本発明の実施形態について説明する。
【００３９】
図１を参照すると、本発明を適用したプリンタは、カラープロファイル作成部２と、カラーマッチング部３とを有している。カラープロファイル作成部２の機能は、主としてプリンタに備えられたコンピュータがカラープロファイル作成ソフトウェアのプログラムコードを実行することにより達成される。また、カラーマッチング部３は、主としてRIP（Raster  Image  Processor）の機能により実現される。
【００４０】
（第１実施形態）
図２は本発明の第１実施形態に係わるプロファイル作成方法を示すブロック図である。図２において、カラーパッチ印字部１０１はカラープロファイルを作成するためのカラーパッチを印字する。測色条件設定部１０２はカラープロファイルを作成する前に印字したカラーパッチの種類、光源などの測色条件を設定する。測色データ読み込み部１０３は測色しながら測色データを読み込か、または以前に測色した測色データを記憶部１０９から読み込む。プロファイル作成条件設定部１０４はカラープロファイルの作成条件を設定し、記憶部１０９に記憶する。カラーマッチング精度選択部１０５はユーザの設定に忠実にカラープロファイルを作成するか、またはユーザの設定を参照しながらカラーマッチング精度を優先してカラープロファイルを作成するかを選択し、その選択に関する情報（カラーマッチング精度）を記憶部１０９に記憶する。プロファイル情報設定部１０６はカラープロファイルに必要な情報（プロファイル情報）を設定し、記憶部１０９に記憶する。カラープロファイル作成部１０７は、プロファイル作成条件設定部１０４、カラーマッチング精度選択部１０５、プロファイル情報設定部１０６が記憶部１０９に記憶した情報に基づき、ユーザにより設定された条件に従いカラープロファイルを作成する。入力部１０８は、プロファイル情報設定部１０６、カラープロファイル作成部１０７、プロファイル作成条件設定部１０４、カラーマッチング精度選択部１０５、プロファイル情報設定部１０６に対し、ユーザが情報の入力や選択を行うものである。
【００４１】
図３は本発明の第１実施形態に係わるカラーマッチング部３の構成を示すブロック図である。図３において、カラープロファイル登録部２０１は作成された複数のカラープロファイルをRIPに渡す。メディア選択部２０２はカラーマッチングする対象メディアを選択し、その選択結果を示すメディア選択情報を記憶部１０９に記憶する。カラーマッチング条件設定部２０３はカラーマッチングを行う際のカラーマッチング条件を設定し、記憶部１０９に記憶する。プロファイル選択部２０４はメディア選択部２０２及びカラーマッチング条件設定部２０３によって決まった選択可能な複数のカラープロファイルから、ユーザが求める結果となるカラープロファイルを選択する。その選択結果を示すカラープロファイル選択情報は、記憶部１０９に記憶される。カラーマッチング実行部２０５は、選択したカラープロファイルを使用して、カラーマッチングを実行する。
【００４２】
次に、図４のフローチャートを参照し、以上述べたような構成におけるその動作について説明する。簡単のため、及びより具体的に説明するために、シアン（C）、マゼンタ（M）、イエロー（Y）、ブラック（K）の4色またはそれ以上の色数で構成されるプリンタ（印刷装置）を例として説明する。
【００４３】
カラーパッチ印字ステップ１０１において、ユーザはカラーマッチングなしモードで対象となるプリンタを操作し、カラープロファイル作成のためのパッチ画像の印字を行う。
【００４４】
測色条件設定ステップＳ１０２において、入力部１０８の操作に従い、カラープロファイル作成ソフトウェアは印字したカラーパッチを測色する、または測色した際の測色条件の設定を行う。一般には測色するカラーパッチの形態、測色光源、視野角等を設定する必要がある。
【００４５】
測色データ読み込みステップＳ１０３では、入力部１０８の操作に従い、測色したパッチ画像の色データをカラープロファイル作成ソフトウェアに読み込む。この場合、測色機において測色しながら同時に測色データを読み込むか、または既に測色された測色データを読み込むなどの方法がある。
【００４６】
プロファイル作成条件設定ステップＳ１０４では、入力部１０８の操作に従い、プロファイル作成時に必要な条件の設定を行う。設定する項目としては、一般に、墨入れ量、2次色のり量、4次色のり量が上げられる。ユーザが墨入れ量の設定を行う場合は、デフォルト設定されている既存のBGC(Black  Generation  Curve)の中から適当なものを選択するか、または独自にKインクの使用を開始するポイント、及びKインクデータの増加率等の設定を行う。インクデータの増加率の設定は、これらには限定されないが、単にγ係数を指定する方法でも良く、ユーザがKインクの増加割合をGUI的にポイント、ポイントを指定し、各ポイント（入れ込みポイント）をスプライン曲線等で結んでいく方法でも良い。その後、制御された変化率に応じて残りの色の調整を行う。なお、増加率に代えて減少率を設定しても良い。また、どのような方法であっても、ユーザからの入力情報に応じて任意の色の増加または減少の変化率を制御することにより、本ステップの目的が達成される。
【００４７】
カラーマッチング精度選択ステップＳ１０５では、入力部１０８の操作に従い、作成するカラープロファイルをどのように作成するかを選択する。カラープロファイルを作成する場合、カラープロファイル作成ソフトウェアによりプロファイル作成の基になる考え方は多種多様であるが、多くの場合次に示す２つの手法に基づいて作成される場合が多い。まず、第１の手法はユーザがプロファイル作成条件設定ステップＳ１０４で設定した各種の設定値に忠実にカラープロファイルを作成する場合であり、第２の手法は、ユーザがプロファイル作成条件設定ステップＳ１０４で設定した各種の設定値を参考にしながら、あくまでもカラーマッチング精度に重点をおいてカラープロファイルを作成する場合である。
【００４８】
無論、ユーザがプロファイル作成条件設定ステップＳ１０４で設定した各種の設定値を忠実に守りながら、かつカラーマッチング精度に重点をおいてカラープロファイルを作成することが望ましい。しかし、実際は、ユーザの設定するKインクの入れ込みであるBGC曲線とその他の色の組み合わせの関係は、インク、メディア種により再現される色相が少しずつ異なりユーザが設定した値を忠実に守ってカラーマッチングプロファイルを作成すると色ズレや、グレー等の無彩色の再現がうまくいかなくなる場合がある。逆にユーザの設定したパラメータを参考にしながらカラープロファイルをカラーマッチング精度に重点をおいて作成した場合、ユーザ設定した墨入れ量ではマッチング精度の高い色再現が不可能となる場合があり、その場合ユーザの設定したBGC通りのカラープロファイルが作成されない可能性が発生する。
【００４９】
そこで、ユーザはユーザの求める目的に従ってカラーマッチング精度選択ステップＳ１０５において、作成するカラープロファイルをどのような思想に基づき作成するかを選択する。例えば、自然画像を印字するのが目的であれば、墨の入れ込みに特別こだわる必要はなく、それよりも色再現の正確さを追及したい。そのような場合は、カラーマッチング精度に重点を置いてカラープロファイルを作成することを選択すればよい。また、文字、ポップ画像など墨の入れ込みがユーザ設定通りとなって欲しい場合がある。そのような場合は、ユーザが設定した値を忠実に守ってカラーマッチングプロファイルを作成することを選択すればよい。
【００５０】
以上のように、本ステップでは設定された変化率に基づいてカラープロファイルを作成するか、または該変化率及びカラーマッチング精度に基づいてカラープロファイルを作成するかをユーザに設定させる。これによって、ユーザが目的に合わせてカラープロファイルの特性を選択することを可能とし、ユーザの目的に合致したカラープロファイルの作成が可能になる。
【００５１】
続いて、プロファイル情報設定ステップＳ１０６では、入力部１０８の操作に従い、作成するカラープロファイルに書き込む情報を設定する。カラープロファイルの種類によって異なるが、ICCプロファイルではプロファイルの内容を表すディスクリプションデータやプロファイルの判別タグであるデバイスアトリビュートデータを本ステップで設定する。
【００５２】
以上に示した各種設定を行ったのち、カラープロファイル作成ステップＳ１０７でユーザの目的に合致したカラープロファイルが実際に作成される。
【００５３】
次に、図５のフローチャートを参照し、作成した複数のカラープロファイルを使ってRIPを用いてカラーマッチングを行う方法について説明する。
【００５４】
まず、カラープロファイル登録ステップＳ２０１において、上記のように作成した複数のカラープロファイルをユーザが任意に選択可能なようにRIPに登録する。一般に作成したカラープロファイルは対象とするメディアと一対一対応となるが、本発明のカラーマッチング方法では１つの対象メディアに複数のカラープロファイルを対応させることを可能にする。これによって、ユーザがあるメディアを選択した場合においても選択したメディアに複数のカラープロファイルが割り当てられていればユーザの目的に合わせて選択が可能になる。もちろん、多数のメディア用のプロファイルを１つに集め、その中からユーザがメディアと目的に合わせて所望もカラープロファイルを選択するように構成しても何ら問題はない。
【００５５】
メディア選択ステップＳ２０２では、入力部１０８の操作に従い、カラーマッチングを行う対象のメディアを選択する。
【００５６】
カラーマッチング条件設定ステップＳ２０３では、入力部１０８の操作に従い、カラーマッチングを行う条件の設定をする。これは、RIPごとに異なるが一般にはカラーマッチングを行う際の処理ビット数や、印刷シミュレーションを行う際のソースプロファイルなどの設定である。
【００５７】
プロファイル選択ステップＳ２０４では、入力部１０８の操作に従い、ユーザは選択対象となる複数のカラープロファイルからユーザの目的にあったものを選択する。前述したように、自然画像に近いものを印字するならば、墨入れ量にそれほどこだわらずカラーマッチング精度の高いプロファイルを使用したほうがよいと思われるし、文字やポップ画像の場合で墨入れ量が重要な場合には、墨入れ量を含むユーザの設定したパラメータに忠実に作られたカラープロファイルを選択するのがよい。
【００５８】
適切なカラープロファイルが選択されたなら、カラーマッチング実行ステップＳ２０５においてカラーマッチングを実行し、その後、カラーマッチングした画像データを保存したり、印字を行ったりする。
【００５９】
以上のような構成により、ユーザが特性の異なる複数のカラープロファイルの作成を可能にし、且つカラーマッチング時に作成した複数のカラープロファイルから任意に選択する。これにより、ユーザの目的に合致したカラープロファイルの作成とそれによるカラーマッチングが実現し、ユーザの目的にあった出力を得ることが可能となる。
【００６０】
（第２実施形態）
以下、図面を参照しながら本発明の実施形態について説明する。
図６は本発明の第２実施形態に係わるプリンタのカラープロファイル作成部の構成を示すブロック図である。図６において、図２と異なる部分のみ説明する。プロファイル特性バランス設定部３０１は、ユーザの設定に忠実にカラープロファイルを作成する場合と、ユーザの設定を参照しながらカラーマッチング精度を優先してカラープロファイルを作成する場合との間で、作成するカラープロファイルの特性バランスのパラメータ（プロファイル特性バランスパラメータ）を任意に設定するものである。設定されたプロファイル特性バランスパラメータは記憶部１０９に記憶される。
【００６１】
次に、図７のフローチャートを参照し、以上述べたような構成におけるその動作について説明する。
【００６２】
簡単のため、及びより具体的に説明するためにシアン（C）、マゼンタ（M）、イエロー（Y）、ブラック（K）の4色またはそれ以上の色数で構成されるプリンタを例として説明する。カラーパッチ印字ステップＳ１０１において、ユーザは対象となるプリンタを操作し、カラーマッチングなしモードでカラープロファイル作成のためのパッチ画像の印字を行う。
【００６３】
カラープロファイル作成ソフトウェアは測色条件設定ステップＳ１０２において、印字したカラーパッチを測色する際の、または測色した際の測色条件の設定を行う。測色条件として、一般には測色するカラーパッチの形態、測色光源、視野角等を設定する必要がある。
【００６４】
測色データ読み込みステップＳ１０３において、測色したパッチ画像の色データをカラープロファイル作成ソフトウェアに読み込む。この場合、測色機において測色しながら同時に測色データを読み込むか、またはすでに測色された測色データを読み込むなどの方法がある。
【００６５】
プロファイル作成条件設定ステップＳ１０４では、入力部１０８の操作に従い、プロファイル作成時に必要な条件の設定を行う。設定する項目としては、一般に、墨入れ量、2次色のり量、4次色のり量が上げられる。ユーザが墨入れ量の設定を行う場合は、デフォルト設定されている既存のBGC(Black  Generation  Curve)の中から適当なものを選択するか、または独自にKインクの使用を開始するポイント、及びKインクデータの増加率等の設定を行う。インクデータの増加率の設定は、これらには限定されないが、単にγ係数を指定する方法でも良く、ユーザがKインクの増加割合をGUI的にポイント、ポイントを指定し、各ポイントをスプライン曲線等で結んでいく方法でも良い。
【００６６】
プロファイル特性バランス設定ステップＳ３０１は、作成するカラープロファイルをユーザの設定に忠実にカラープロファイルを作成する場合と、ユーザの設定を参照しながらカラーマッチング精度を優先してカラープロファイルを作成する場合との間で、作成するカラープロファイルの特性をどのあたりの位置付けにするかを設定する。第１実施形態との違いは、第１実施形態では２つある特性のいずれか一方を有するカラープロファイルを作成するように選択していたのに対し、本実施形態においては、2つの特性の間で任意のバランスでカラープロファイルの特性を選択できることにある。すなわち、作成するカラープロファイルをユーザの設定に忠実にカラープロファイルを作成する場合と、ユーザの設定を参照しながらカラーマッチング精度を優先してカラープロファイルを作成する場合との間で、これら両特性を任意の割合で変化させる機能を有するものである。
【００６７】
これにより、変化率に基づいてカラープロファイルを作成する際に、カラーマッチング精度を適用する度合いをユーザに設定させる処理が行われるので、ユーザは所望の特性をもったカラープロファイルをより正確に作成することが可能になる。
【００６８】
続いて、プロファイル情報設定ステップＳ１０６では、入力部１０８の操作に従い作成するカラープロファイルに書き込む情報を設定する。カラープロファイルの種類によって異なるが、ICCプロファイルではプロファイルの内容を表すディスクリプションデータやプロファイルの判別タグであるデバイスアトリビュートデータを本ステップで設定する。
【００６９】
以上に示した各種設定を行った後、カラープロファイル作成ステップＳ１０７でユーザの目的に合致したカラープロファイルが実際に作成される。
【００７０】
これらの手順を繰り返すことにより、複数の特性の異なるカラープロファイルを作成することが可能になる。
【００７１】
作成した複数のカラープロファイルを使ってRIPを用いてカラーマッチングを行う方法は第１実施形態と何ら変わることがないので、説明は割愛する。
【００７２】
以上のような構成により、ユーザが特性の異なる複数のカラープロファイルの作成を可能にし、且つカラーマッチング時に作成した複数のカラープロファイルから任意に選択することにより、ユーザの目的に合致したカラープロファイルの作成、およびそれによるカラーマッチングが実現し、ユーザの目的にあった出力を得ることが可能となる。
【００７３】
尚、本発明は、複数の機器(例えばホストコンピュータ、インタフェイス機器、リーダ、プリンタなど）から構成されるシステムに適用しても、１つの機器からなる装置（複写機、プリンタ、ファクシミリ装置など）に適用してもよい。
【００７４】
また、本発明の目的は、前述した実施形態の機能を実現する、各図のフローチャートの手順を実現するプログラムコードを記憶した記憶媒体を、システムあるいは装置のコンピュータ（またはＣＰＵやＭＰＵ）が記憶媒体に格納されたプログラムコードを読出し実行することによっても達成される。
【００７５】
この場合、記憶媒体から読み出されたプログラムコード自体が前述した実施形態の機能を実現することになり、そのプログラムコードを記憶した記憶媒体は本発明を構成することになる。
【００７６】
プログラムコードを供給するための記憶媒体としては、例えば、フロッピ（Ｒ）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７７】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００７８】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００７９】
【図１】本発明の一実施形態に係わるプリンタの構成を示すブロック図である。
【図２】本発明の一実施形態に係わるカラープロファイル作成部の構成を示すブロック図である。
【図３】本発明の一実施形態に係わるマッチング部の構成を示すブロック図である。
【図４】本発明の一実施形態に係わるカラープロファイル作成方法のフローチャートである。
【図５】本発明の一実施形態に係わるカラーマッチング方法のフローチャートである。
【図６】本発明の一実施形態に係わるカラープロファイル作成部の構成を示すブロック図である。
【図７】本発明の一実施形態に係わるカラープロファイル作成方法のフローチャート図である。
【符号の説明】
【００８０】
１０１  カラーパッチ印字部
１０２  測色条件設定部
１０３  測色データ読み込み部
１０４  プロファイル作成条件設定部
１０５  カラーマッチング精度選択部
１０６  プロファイル情報設定部
１０７  カラープロファイル作成部
１０８  入力部
１０９  記憶部
２０１  カラープロファイル登録部
２０２  メディア選択部
２０３  カラーマッチング条件設定部
２０４  プロファイル選択部
２０５  カラーマッチング実行部
３０１  プロファイル特性バランス設定部
【図１】
2006020087.tif 000003
【図２】
2006020087.tif 000004
【図３】
2006020087.tif 000005
【図４】
2006020087.tif 000006
【図５】
2006020087.tif 000007
【図６】
2006020087.tif 000008
【図７】
2006020087.tif 000009